(57)【要約】【課題】所定の対象を簡単な構造で全体的に発光させて、暗所で対象物の全体を効果的に浮かび上がらせることができる光装飾体を提供する。【解決手段】  この発明は、複数の光ファイバーを集合させて動物、植物その他適宜の物の形象を形成し、その複数の光ファイバーに１つの導光系又は２以上の並列な導光系を付与する。さらに、暗所で前記形象を浮かび上がらせる光漏洩部となる溝、凹部、切欠及び曲げ部延長部の少なくとも１を前記形象を構成する光ファイバーに形成する。かつ前記１又は複数の導光系に光を供給する光源を設け、該光源から出る光が前記１又は複数の導光系を介して前記光ファイバーの前記光漏洩部で外部に漏洩されて、前記形象を暗所で浮かび上がらせる。【選択図】    図２
2005235724.tif 000002
【特許請求の範囲】
【請求項１】
複数の光ファイバーを集合させて動物、植物その他適宜の物の形象を形成し、その複数の光ファイバーに１つの導光系又は２以上の並列な導光系を付与するとともに、暗所で前記形象を浮かび上がらせる光漏洩部となる溝、凹部、切欠及び曲げ部延長部の少なくとも１を前記形象を構成する前記光ファイバーに形成し、かつ前記１又は複数の導光系に光を供給する光源を設け、該光源から出る光が前記１又は複数の導光系を介して前記光ファイバーの前記光漏洩部で外部に漏洩されて、前記形象を暗所で浮かび上がらせることを特徴とする光装飾体。
【請求項２】
前記光漏洩部は、前記光ファイバーの少なくとも一部のものを所定の角度以上曲げて、前記曲げ部延長部であるその曲げ部より導光系の下流側部分を、その曲げに伴い該光ファイバー内を通る光の進路に変化を生じさせることにより該光を光ファイバー外に漏洩させる光漏洩部として形成され、前記１又は２以上の導光系から導かれる光が、前記光ファイバーにおいて前記曲げ部より導光系の下流側部分を光漏洩部として外部に放出されることにより、前記光ファイバーで形成される前記形象を暗所で浮かび上がらせることを特徴とする請求項１に記載の光装飾体。
【請求項３】
前記光漏洩部は、前記光ファイバーの少なくとも一部のものを所定の角度以上曲げて、前記曲げ部延長部であるその曲げ部より導光系の下流側部分を、その曲げに伴い該光ファイバイー内を通る光の進路に変化を生じさせることにより該光を光ファイバー外に漏洩させる光漏洩部として形成されるとともに、該導光系の下流部分及び／又はそれ以外の光ファイバーの部分に、溝、凹部、切欠その他光の経路の一部を分断するように形成された光界面を光漏洩部として形成され、前記光ファイバー内を通る光が前記光ファイバーにおいて前記曲げ部より導光系の下流側部分を光漏洩部として該光ファイバー外面から漏洩するとともに、前記光界面を光漏洩部として該光ファイバー内から外部に光が漏洩する相乗的な組合せにより、前記光ファイバーで形成される前記形象を暗所で浮かび上がらせることを特徴とする請求項１に記載の光装飾体。
【請求項４】
該光ファイバー内に誘導した光を、該光ファイバーの導光系の下流端からも発光させる請求項１ないし３のいずれか１項に記載の光装飾体。
【請求項５】
該光ファイバー内を誘導した光が、該光ファイバーの導光系の下流端から発光しないように、光ファイバーの該下流端を光遮蔽部とした請求項１ないし３のいずれか１項に記載の光装飾体。
【請求項６】
前記光源から放出される光の出力を制御する光制御部を備え、その光制御部によって所定の発光パターンで出力される光が、前記光ファイバーにおける前記光漏洩部から外部に漏洩されて、前記光ファイバーで形成された前記形象を暗所において前記所定の発光パターンで浮かび上がらせる請求項１ないし５のいずれか１項に記載の光装飾体。
【発明の詳細な説明】
【技術分野】
【０００１】  この発明は、光ファイバーを用いて発光させる光装飾体に関する。
【背景技術】
【０００２】  従来、所定の対象物に複数の光ファイバーを連結して、その先端から点状の光又は多数の点状の光の群を組み合わせて、適宜の装飾的な発光を行わせる発光装置が知られている。【０００３】  しかしながら、この種の装飾発光装置では、対象物に連結された光ファイバーを介して、対象物のごく一部が点状に、又はその点の集合として発光するに過ぎないので、対象物の全体を暗所で簡単に浮かび上がらせるようなことは困難であった。
【発明の開示】
【発明が解決しようとする課題】
【０００４】  この発明は、所定の対象を簡単な構造で全体的に発光させて、暗所で対象物の全体を効果的に浮かび上がらせることができる光装飾体を提供することを課題とする。
【課題を解決するための手段】
【０００５】  この発明は、複数の光ファイバーを集合させて動物、植物その他適宜の物の形象を形成し、その複数の光ファイバーに１つの導光系又は２以上の並列な導光系を付与するとともに、暗所で前記形象を浮かび上がらせる光漏洩部となる溝、凹部、切欠及び曲げ部延長部の少なくとも１を前記形象を構成する前記光ファイバーに形成し、かつ前記１又は複数の導光系に光を供給する光源を設け、該光源から出る光が前記１又は複数の導光系を介して前記光ファイバーの前記光漏洩部で外部に漏洩されて、前記形象を暗所で浮かび上がらせることを特徴とする。
【発明の効果】
【０００６】  このように、所定の対象物（少なくともその一部）を線材としての光ファイバーにより形成し、かつその光ファイバーを導光材料さらには光漏洩材料（発光部）として利用し、しかも光ファイバーの先端に至る途中の部分を光漏洩部として、広い範囲で光ファイバーの外面から発光させることにより、対象物を全体的に発光させることが容易である。これにより暗所で対象物の形態を浮かび上がらせることができる。そして、光ファイバーを対象物の構造材と、発光のための導光材及び発光材とに兼用することにより、構造が簡素でありながら斬新な光装飾体が実現する。
【発明の実施するための最良の形態】
【０００７】  この発明において、前記光漏洩部は、光ファイバーの少なくとも一部のものを所定の角度以上曲げて、その曲げ部より導光系の下流側部分（曲げ部延長部）を、その曲げに伴い該光ファイバー内を通る光の進路に変化を生じさせることにより該光を光ファイバー外に漏洩させる光漏洩部として形成され、１又は２以上の導光系から導かれる光が、光ファイバーにおいて前記曲げ部より導光系の下流側部分を光漏洩部として外部に放出されることにより、光ファイバーで形成される形象を暗所で浮かび上がらせるようにすることをができる。
【０００８】  このように、光ファイバーの先端以外に、光ファイバーの曲げ部のひずみを利用して曲げ部より導光系下流側の光ファイバー外面から、線状又は面状に長い範囲で光を漏洩（発光）させることにより、対象物の構造材、導光材及び発光材の機能を相乗的に光ファイバに兼ねさせ、光ファイバーの機能を最大限に発揮させることができる。特に対象物の全体を光ファイバーのみで構成し、その光ファイバーの曲げ部より下流部分の集合によって、その対象物の基本形状を構築することにより、その基本形状の全体が、上記曲げ部のひずみ効果による光漏洩効果により、全体から効果的に発光し、斬新な雰囲気が醸し出される。
【０００９】  またこの発明において、前記光漏洩部は、光ファイバーの少なくとも一部のものを所定の角度以上曲げて、その曲げ部より導光系の下流側部分を、その曲げに伴い該光ファイバイー内を通る光の進路に変化を生じさせることにより該光を光ファイバー外に漏洩させる光漏洩部と、これに加えて、該導光系の下流側部分及び／又はそれ以外の光ファイバーの部分に、溝、凹部、切欠その他光の経路を分断するように形成された光界面から光を光ファイバー外に漏洩させる光漏洩部との組合せとして形成することができる。
【００１０】  このようにすれば、光ファイバー内を通る光が、前記曲げ部より導光系の下流側部分を光漏洩部として該光ファイバー外面から漏洩するとともに、前記光界面を光漏洩部として該光ファイバー内から外部に光が漏洩し、この相乗的な組合せによる光漏洩効果により、光ファイバーで形成される前記形象を全体的に一層変化をもたせて効果的に発光させ、暗所等で一層斬新な発光を楽しむことができる。
【００１１】  なお、光ファイバー内を誘導した光を、該光ファイバーの導光系の下流端からも発光させることができる。このように光ファイバーの先端及びその途中の曲げ部以降の下流側部分を共に発光させることにより、その一定範囲の光漏洩と、先端からの点状発光との組合せで、変化のある多彩な発光形態が実現する。
【００１２】  なお、光ファイバー内を誘導した光が、該光ファイバーの導光系の下流端から発光しないように、光ファイバーの下流端を光遮蔽部とすることができ、このようにすれば、曲げ部以降の下流側部分及び／又は溝、切欠等による光界面からの光の漏洩量が増大し、全体的な発光の照度を高めることができる。
【００１３】  さらに好適には、光源から放出される光の出力を制御する光制御部を備え、その光制御部によって所定の発光パターンで出力される光が、光ファイバーにおける前記光漏洩部から外部に漏洩されて、光ファイバーで形成された前記形象を暗所において所定の発光パターンで浮かび上がらせることが可能である。例えば、経時的な発光色の変化、光量の変化あるいは周期的な発光、並びにそのタイミング等を、上記光制御より所望に設定し、変化と動きに飛んだ発光形態を実現することができる。
【実施例１】
【００１４】  図１は、この発明の一実施例であるトンボに似せた光装飾体１を示すものである。この例ではトンボの形態をのすべての部分が、本来は導光及び発光材料である光ファイバー（例えば透明又は半透明のプラスチック（樹脂）線材）で形成され、光ファイバーが所定の形象としてのトンボの形態を構成する構造材料を兼ねている。その光ファイバーは先端のみならず全体から光が漏洩して、暗所でトンボの形態を浮かび上がらせるものである。【００１５】  このトンボは、胴体が比較的太い光ファイバー２、３及び４で構成され、光ファイバー３、４は、中央に位置する長く最も太い光ファイバー２（尾部を構成）の前部を両側から挟むように位置し、光ファイバー２よりやや細く、光ファイバー２に接着剤等で一体化されており、これら光ファイバー２、３及び４が一体化されたものが１つのパーツを構成する。【００１６】  そして、光ファイバー３、４が位置するボディの部分から側方に拡がるように一方（右側）の前側の羽根部及び後側の羽根部が、上記光ファイバー２、３及び４より細い複数の光ファイバー５、６の集合群５０、６０で形成され、他方（左側）の前側の羽根部及び後側の羽根部が、同様に複数の光ファイバー７、８の集合群７０、８０で形成されている。集合群５０、６０、７０及び８０は、光ファイバー５、６、７及び８のそれぞれ複数のものが線材直径方向に互いに接着剤等で固着されて、４つのパーツとして構成される。【００１７】  さらに、左右の眼球部が複数の光ファイバー９、１０の集合群９０、１００で形成されている。複数の光ファイバー９、１０は各先端側の部分がそれぞれボール状に編み込まれて眼球部となり、基端側の部分は編み込みされることなく、本来の導光材の役割を果たすように延ばされている。なお、この例では図示されていないが、眼球部のほかに口部を形成するために、眼球部と同様の手法で複数の光ファイバーの先端側部分をボール状等に編み込み、基端側部分を導光材として、口部を付加することができる。【００１８】  このようにトンボの形態が、光ファイバーを構造（構成）材として形成され、それら多数本の光ファイバーの基端部はテープ等の結束部材でひとつに結束されて、その結束部が支持部材としてのボックス（支持容器）１１の蓋２０に形成された穴５１（図１１参照）からボックス１１内に挿入され、支持されるようになっている。そのボックス１１内には、電源として発光ダイオード４１、制御部としての光制御ＩＣ５２、及び電源としての電池５３を装着する電池収容部が格納されている。ボックス１１の蓋２０を閉じた状態で、上記穴５１に挿入された多数本の光ファイバーの結束部の基端面が、発光ダイオード４１に対面し、この発光ダイオード４１から発光する光が、多数本の光ファイバーの結束部の端面から多数本の光ファイバーに導かれ、トンボの形態をなす先端側（下流側）部分に導光されることとなる。【００１９】  図２は、上述の光ファイバー群を分解してその構造を説明する分解斜視図である。説明のための図であるため、光ファイバー群の実際の寸法関係を表したものではない。まず胴部を構成する最も長い光ファイバー２は、途中で１２０度以下のなす角、この例ではほぼ９０度近傍となるように曲げられて、光ファイバー２の中間に曲げ部１２が形成されている。この曲げ部１２より先端側（導光系で下流側）の部分がそのファイバー内を通る光を光ファイバーの外面からの外部に漏洩させる光漏洩部２２とされている。光ファイバー２において、その曲げ部１２からファイバー下流端までの長さ範囲の全体から光が外部に漏れる光漏洩部２２となり、他方、曲げ部１２から反対側の基端までは光漏洩部ではない、通常の導光機能を果たす光ファイバー部分である基端側部分４２とされ、その基端が光源としての発光ダイオード４１に対面する。【００２０】  図４、図５に示すように、例えば光ファイバー２をほぼ直角付近まで曲げると、その曲げ部１２に生じるひずみにより、光ファイバー２内を通る光の進路がそのひずみで変化し、曲げ部１２より下流側の光ファイバー部分（光漏洩部２２）において、その外周面から光が洩れるようになり（光ファイバー２の外周面（界面）に対する光の経路（角度）が臨界角を超え）、その結果として光漏洩部２２が軸方向の全体にわたり発光するようになる。本来は光ファイバー２の先端のみから光が放出されるのであるが、この例では光漏洩部２２の全体が発光するとともに、光ファイバー２の先端からも発光する。【００２１】  ここで、光ファイバー２の先端から光が放出されないように、その先端を不透光に加工する（例えば塗膜を作る、又は溶融して光学的に封止する等）ことにより、その先端から光の放出を防止ないし抑制して、軸状の光漏洩部２２から発光される光量を高めることも可能である。【００２２】  上記光ファイバー２の曲げ角度は、光の経路に変化を生じさせて、曲げ部１２より下流側で光ファイバー外面から光を漏洩させるに足りるひずみを生じさせることができるように設定されるが、例えば直線状の光ファイバー２を折り返すように１８０度付近まで曲げれば、その曲げ部には上記光の漏洩を生じさせるに足りるひずみが生じ、一旦そのようなひずみを生じさせれば、その後光ファイバー２の曲げ部１２を任意の角度に調整しても、曲げ部１２より下流側部分からは光を漏洩させることができる。この例では、その曲げ部１２のなす角度がほぼ直角とされているが、この曲げは上述のようにほぼ１８０度付近まで曲げた後、それを９０度（直角近傍）まで戻すことにより行ってもよいし、当初からのほぼ直角に曲げるだけでもよい。曲げの手法は、要は光ファイバー２が折損しない程度に曲げて、曲げ部１２に上記ひずみを生じさせればよい。【００２３】  なお、図５に示すように、曲げ部１２の山側（又は谷側）の光ファイバー外面に切込み（凹部ないし切欠）２９を形成して、曲げ部１２においてシャープな直角に近い形態が得られるようにすることができる。この切込み２９は、曲げ部１２が光ファイバー２（通常はプラスチック製）の弾性により、原形に復帰しようとするのを抑制する効果もある。【００２４】  図２に戻って、光ファイバー２の光漏洩部２２にはさらに、その軸方向に所定の間隔で位置する複数の溝３２（又は凹所、切欠等）から構成される別の間欠的な光漏洩部が相乗的に形成されている。部分的な光漏洩部としての複数の溝３２等は、光ファイバー２の軸方向と交差（例えば直交）する方向に形成され、この例��は光ファイバー２の軸線と直角な矩形状断面の溝３２が、その溝側面によりファイバー内の光の経路の一部を分断する光界面を形成し、その溝３２から光を外部に漏洩させる。【００２５】  上述のような光漏洩部２２の全体にわたり所定の間隔の矩形状の溝３２を形成することに限らず、例えば図６〜図９に示すように、光ファイバー２の上記光漏洩部２２に相当する範囲の一部の外面に、光漏洩部を形成するための溝４５、Ｖ字状の溝４６、凹部（切欠）４８、４９等、光の経路の一部を分断する光界面を形成し、その光界面から光ファイバー２内を通る光が該光ファイバー２の外に漏洩することにより光漏洩部が形成されるようにすることもできる。要するに光漏洩部２２の光界面で光の経路が分断されることにより、この部分から光ファイバー２の外部に光が漏洩させ得ればよい。【００２６】  上記のような光ファイバー２の軸方向（長手方向）の所定範囲（曲げ部１２よより下流側）における連続的な光漏洩部２２と、その光漏洩部２２に重ねて所定の間隔で形成された溝３２等の間欠的な光漏洩部により、上記曲げ部１２より下流側の光漏洩部２２の範囲で、光ファイバー２の外面から全体的に光が漏洩するのみならず、複数の溝３２からさらに部分的に光が漏洩し、ほぼ均一な発光の中に、所定の間隔でより強い発光が生じる発光形態が生じる。この発光形態は、トンボの細長い胴部で、その胴部を横断するすじ（節部）を疑似的に表現したものである。【００２７】  以上はトンボの胴部の中央に位置する光ファイバー２の説明であったが、胴部の別の光ファイバー３及び４についても、また左右の羽根部の光ファイバー５、６、７及び８についても、基本的には光ファイバー２と同様の構成である。光ファイバー２の両側に配置された短い光ファイバー３、４は、長さが光ファイバー２より短いだけで後の構成は同じであって、曲げ部１３、１４より導光系の下流側部分が連続的な光漏洩部２３、２４とされ、さらに連続的な光漏洩部２３、２４には複数の溝３３、３４により間欠的な光漏洩部が形成される。そして、これとは導光系で反対側に位置する、曲げ部１３、１４の手前の基端側部分４３、４４は、通常の導光機能を有する部分として下方に延び、その基端面（下端）が発光ダイオード４１に対面して、ここから光が入射される。【００２８】  また、左右・前後の羽根部を構成する各光ファイバー５、６、７、８も、長手方向の中間（途中）位置に、ほぼ直角な曲げ部１５、１６、１７、１８が形成され、それより導光系下流側部分が連続的な光漏洩部２５、２６、２７、２８とされ、さらにこれら連続的な光漏洩部２５、２６、２７、２８には、複数の溝３５、３６、３７、３８により間欠的な光漏洩部が形成される。そして、これとは導光系で反対側に位置する、曲げ部１５、１６、１７、１８の手前の基端側部分４５、４６、４７、４８は、通常の導光機能を有する部分として下方に延び、その基端面（下端）が発光ダイオード４１に対面して、ここから光が入射される（図３も参照）。【００２９】  上記の光ファイバー５、６、７、８が、それぞれ複数本ずつ横並びに、光漏洩部２５、２６、２７、２８において接着剤による接着等により接合されることにより、この例ではトンボの４枚の���根部を模した４個の光ファイバー集合群５０、６０、７０、８０が形成される。これらの光ファイバー集合群５０、６０、７０、８０（４個のパーツ）は同じ構成である。これら４個のパーツにおいて、上記光漏洩部２５、２６、２７、２８以外の部分、つまりそれぞれ複数本の基端側部分４５、４６、４７、４８からなる４つの基端側集合群は、接着等による一体化はされていないため、各基端側集合群ごとに、所定の結束部材（針金等の線材、接着テープ部材等）で結束しておくことができる。また、羽根部を形成する光ファイバーの各集合群５０、６０、７０、８０において、予め光漏洩部２５、２６、２７、２８となるべき光ファイバー部分を、各集合群ごとに予め横並びに接着し、その後ほぼ直角な曲げ部１５、１６、１７、１８を形成することができるが、逆にそれらの曲げ部を形成してから上記接着を行ってもよい。【００３０】  羽根部に相当する光ファイバー５、６、７、８の連続的な光漏洩部２５、２６、２７、２８に、さらに重層的に形成された間欠的な光漏洩部たる複数の溝３５、３６、３７、３８は、そこから光ファイバー内の光を漏洩させる点において上記胴部の光ファイバー２、３、４の溝３２、３３、３４と基本的に同様の機能を果たすが、羽根部の繊維（網状組織）を疑似的に表現する趣旨から、それらの溝より細く狭い間隔で溝３５、３６、３７、３８が形成されている。それらの溝３５、３６、３７、３８は、各集合群ごとに隣接する光ファイバーに跨って連なる形態で形成してもよいが、連ならないように不連続（例えば千鳥状に）又は不規則に形成することができる。そして、４枚の羽根部に相当する光ファイバーの集合群５０、６０、７０、８０において、光漏洩部２５、２６、２７、２８の一定範囲から光が洩れてそこが全体的に発光し、これにより羽根部の全体が発光し、さらに各溝３５、３６、３７、３８では間欠的に光が漏洩して、羽根部の繊維の模様を模した発光が重層的に生じることとなる。【００３１】  トンボの眼球部９ａ、１０ａに相当する光ファイバーの集合群９０、１００についても、基本的には、羽根部や胴部の光ファイバーと同様のほぼ直角の曲げ部を各光ファイバー９、１０の途中に形成し、その曲げ部より導光系の下流側の光ファイバー部分をボール状に編み込み、その曲げ部より導光系上流側の光ファイバー部分（基端側部分）の端面を発光ダイオード４１に対面させ、そこから入射される光を、光漏洩部としての編み込みボール状部分で漏洩させて、眼球部９ａ、１０ａを発光させることができる。【００３２】  上述の胴部の光ファイバーの基端側部分４２、４３、４４、及び羽根部の光ファイバーの基端側部分４５、４６、４７、４８の各集合群（及び眼球部の基端側部分の集合群）を、全体として軸状に結束するために、例えば図３に示すようにテープ等の結束部材５５により、それら光ファイバーの根元部分を軸状に結束し、その軸状の端面を光源としての発光ダイオード４１に対面させる。【００３３】  この光ダイオード４１は、例えば赤、緑、青の光の３原色の発光ダイオードを組み合わせた集合体として、これらの発光ダイオードの光量を光制御ＩＣ５２で制御することにより、所望の色（波長）の光を上記光ファイバーに送出す��ことができる。ただし、単色の発光ダイオード４１を光源に使用すること、あるいは発光ダイオード以外の所定色の光を放つランプを光源にすること、又はランプとその光を所定の色の光に変える色フィルターを組み合わせた光源を使用することもできる。【００３４】  以上のようにような光装飾体１において、電源５３により光制御部（光制御ＩＣ）５２を介して光源としての発光ダイオード４１が駆動され、所定色の光が発せられて光ファイバーの束（基端側部分４２、４３、４４、４５、４６、４７、４８等）に導光される。この光ファイバーの束を通る光が、各光ファイバーの曲げ部１２、１３、１４、１５、１６、１７、１８等におけるひずみにより光経路が変化して、光漏洩部２２、２３、２４、２５、２６、２７（及び眼球部９ａ、９ｂ）から光ファイバーの外側に全体的（連続的）に洩れる。さらに、所定間隔の間欠的な光漏洩部たる溝３２、３３、３４、３５、３６、３７、３８からも洩れる（図５参照）。【００３５】  そして、これら光ファイバーの途中で漏洩する光により、トンボの形態として全体的に発光し、かつ上記溝３２、３３、３４、３５、３６、３７、３８の部分から漏洩する光が相乗的に付加されて、トンボの胴部の節部や羽根部の繊維を模した光模様の形態でも発光し、例えば暗所でトンボの形態及び胴部の節部や羽根部の繊維の模様までもが擬似的に浮かび上がり、幻想的で斬新な光装飾体が実現する。また、上記光制御ＩＣ５２により所定の周期で光量を増減させたり、点滅させたり、あるいは色彩を周期的に変化たりすること、さらにはこれらの光制御を相乗的に組み合わせて、変化のある多彩な光の演出を行うことができる。【００３６】  また、光ファイバーを導光材、発光材及び構造材の３つに兼用することにより、構成部材を最少とし、簡素な構成になる。かつ光ファイバーが一般に透明（透光性のある）の線材であるところから、発光させない状態では、全体が透明に近いガラス感覚の置物となり、発光状態の光装飾体して機能するのみならず、非発光の状態では多数の透明線状材からなるガラス感覚の置物としても機能し、複合的な機能を発揮することができる。
【実施例２】
【００３７】  以上の説明では、光源が１つで、この共通の光源からの光を多数の光ファイバーに導いていたが、光ファイバーによる導光系は１系統に限るものではなく、図１０に示すように、２以上の光源（発光ダイオード等）４１ａ、４１ｂ、４１ｃ等、及び光制御ＩＣ５２ａ、５２ｂ、５２ｃ等を設け、これらにそれぞれ別個の導光系を構成する光ファイバーを対応させることも可能である。例えば、発光ダイオード４１ａは前側の羽根部の光ファイバーの集合群５０、７０（又は右側の羽根部の光ファイバーの集合群５０、６０）、発光ダイオード４１ｂは胴部の光ファイバー２、３、４、発光ダイオード４１ｃは後側の光ファイバーの集合群６０、８０（又は右側の光ファイバーの集合群７０、８０）にそれぞれ対応するものとして、複数の導光系で各光ファイバー又はその集合群を互いに異なる発光形態で個別に発光させることができる。その場合、電源は各導光系に共通の電源５３を使用すればよいが、別個に電源を設定してもよい。【００３８】  また、以上の説明では、各光ファイバーの途中にほぼ直角な曲げ部１２、１３、１４、１５、１６、１７、１８等を設け、この曲げ部より導光系の下流側部分（すわなち曲げ部延長部）を連続的な光漏洩部２２、２３、２４、２５、２６、２７、２８にするとともに、各光漏洩部のすべてのものに、溝３２、３３、３４、３５、３６、３７、３８等による間欠的な光漏洩部を重層的に形成していたが、これを上記連続的な光漏洩部の一部のもののみに形成して、他の光漏洩部では省略することもできる。例えば羽根部に相当する光ファイバーの集合群５０、６０、７０、８０の光ファイバーのみに、溝等による間欠的な光漏洩部を重層的に形成し、例えば胴部に相当する光ファイバーの光漏洩部２２、２３、２４では省略すること、もしくはこの逆に胴部に関してのみ溝等を形成し、羽根部では省略することもできる。【００３９】  また、間欠的な光漏洩部を構成する溝等をいっさい省略して、曲げ部より導光系の下流側部分（曲げ部延長部）による連続的な光漏洩部だけで発光部を形成してもよい。さらに、これとは逆に、曲げ部による光漏洩部を形成しないで、光ファイバーに溝等を多数形成して、そこから光を漏洩させることにより、全体的な発光形態が生じるようにしてもよい。【００４０】  また、以上の説明では所定の対象としてトンボの形態を一例に挙げたが、これは一例に過ぎず、本発明はトンボ以外の各種の生物、植物及び風景、建造物、物品その他様々の対象に適用可能である。
【図面の簡単な説明】
【００４１】
【図１】本発明の一実施例を示す斜視図。
【図２】図１の構造を分解して概念的に示す説明図。
【図３】図１の要部を正面から示す説明図。
【図４】光ファイバーの曲げ部による光漏洩の作用を示す説明図。
【図５】図４の要部を拡大して示す説明図。
【図６】溝による光漏洩部の形成例を示す説明図。
【図７】図６の変形例を示す説明図。
【図８】切欠（凹部）の形成による光漏洩部の例を示す説明図。
【図９】図８の変形例を示す説明図。
【図１０】導光系を複数系統設けた例を示す説明図。
【図１１】図１のボックスの蓋を開けた状態を示す斜視図。
【符号の説明】
【００４２】１  トンボの光装飾体
２、３、４、５、６、７、８、９、１０  光ファイバー
１１  ボックス（支持部材）
１２、１３、１４、１５、１６、１７、１８  曲げ部
２２、２３、２４、２５、２６、２７、２８  光漏洩部（曲げ部延長部）
３２、３３、３４、３５、３６、３７、３８  溝（光漏洩部）
５０、６０，７０、８０、９０、１００  光ファイバーの集合群
【図１】
2005235724.tif 000003
【図２】
2005235724.tif 000004
【図３】
2005235724.tif 000005
【図４】
2005235724.tif 000006
【図５】
2005235724.tif 000007
【図６】
2005235724.tif 000008
【図７】
2005235724.tif 000009
【図８】
2005235724.tif 000010
【図９】
2005235724.tif 000011
【図１０】
2005235724.tif 000012
【図１１】
2005235724.tif 000013